(57)【要約】【課題】便の背漏れのおそれを低減する。【解決手段】上記課題は、吸収体５６における前後方向中間に形成された吸収体括れ部Ｎ２と、吸収体５６の幅方向両側に延出する両側部における、前後方向中間に形成された側部括れ部とを備え、吸収体括れ部Ｎ２に外接する四角形の対角線の交点Ｐ２が、腹側のウエスト端縁を基準におむつ全長Ｌを１００％としたときその３５〜４５％の前後方向範囲位置し、且つ側部括れ部Ｎ１に外接する四角形の対角線の交点Ｐ１が、腹側のウエスト端縁を基準におむつ全長Ｌを１００％としたときその４０〜４９％の前後方向範囲に位置している、ことにより解決される。【選択図】図１
2010051697.tif 000002
【特許請求の範囲】
【請求項１】
透液性トップシートと、液不透過性シートと、これらの間に介在された、腹側部分から背側部分まで延在する吸収体と、前記吸収体における前後方向中間に形成された吸収体括れ部と、前記吸収体の幅方向両側に延出する両側部と、この両側部の前後方向中間に形成された側部括れ部とを備えた、使い捨ておむつにおいて、
前記吸収体括れ部に外接する四角形の対角線の交点が、腹側のウエスト端縁を基準におむつ全長を１００％としたときその３５〜４５％の前後方向範囲に位置し、
且つこの側部括れ部に外接する四角形の対角線の交点が、前記吸収体括れ部に外接する四角形の対角線の交点よりもおむつの前後方向後側であって、且つ腹側のウエスト端縁を基準におむつ全長を１００％としたときその４０〜４９％の前後方向範囲に位置している、
ことを特徴とする使い捨ておむつ。
【請求項２】
前記吸収体における肛門部位又はその近傍に、表面から裏面側に窪む孔又は表面から裏面に貫通する孔からなるポケットが形成されており、
前記トップシートは、前記ポケットと重なる部位を含む所定範囲に多数の透過孔を有しており、且つ前記ポケットと重なる部位ではその下側に隣接する部材に少なくとも幅方向中央では接合されておらず、
前記トップシートの裏面から前記ポケット内まで連続する収容空間が形成されている、請求項１記載の使い捨ておむつ。
【請求項３】
前記ポケットは、前後方向に沿って延在する細長状ポケットである、請求項２記載の使い捨ておむつ。
【請求項４】
前記ポケットは、前記吸収体括れ部に外接する四角形の前端より前側から、前記吸収体括れ部に外接する四角形の後端より後側まで前後方向に沿って延在している、請求項３記載の使い捨ておむつ。
【請求項５】
前記ポケットは、前記肛門部位又はその近傍では、その前側よりも幅の広い形状を有しているか、又はその前側よりも多い列数の細長状ポケットが幅方向に所定の間隔を空けて設けられている、請求項４記載の使い捨ておむつ。
【請求項６】
前記透過孔は、前記トップシートの透過孔形成位置に前後方向に沿うスリットを形成した後に前記トップシートを幅方向に伸張させ、前記スリットを拡大させた状態でその両側部をその下側に隣接する部材に接合することにより形成されている、請求項２〜５のいずれか１項に記載の使い捨ておむつ。
【請求項７】
前記トップシートは、前記透過孔が前後方向に列なって形成された透過孔列が、幅方向に一列又は複数列形成されるとともに、少なくとも一列の前記透過孔列が前記ポケット上を通過するように配置されており、且つ前記ポケット上を通過する一列又は複数列の透過孔列の両側部が、その下側に隣接する部材に接合されている、請求項６記載の使い捨ておむつ。
【請求項８】
前記トップシートは、肛門部位又はその近傍、及びその周囲部分に、前記透過孔をそれぞれ有しており、肛門部位又はその近傍の透過孔が、その周囲部分の透過孔より開口面積が大きいか、及び／又は肛門部位又はその近傍に占める透過孔の面積率が、その周囲部分に占める透過孔の面積率よりも高い、請求項２〜７のいずれか１項に記載の使い捨ておむつ。
【請求項９】
前記透過孔の一部又は全部は、長手方向が肛門部位又はその近傍を中心とする放射方向に沿う形状を有している、請求項２〜８のいずれか１項に記載の使い捨ておむつ。
【発明の詳細な説明】
【技術分野】
【０００１】
本発明は、使い捨ておむつに関するものである。
【背景技術】
【０００２】
一般に、乳児の便は、生後３ヶ月程度で水様便から軟便に変わり、離乳食の始まりにより固形化していくものである。このため、乳児用の使い捨ておむつにおいては、水様便及び軟便（以下、尿を含め水様便等ともいう）の吸収を考慮した様々な技術が提案されている（例えば特許文献１〜５参照）。もちろん、乳児の水様便等に限らず、下痢等の緩い便に対する対策は使い捨ておむつ全般で重要となっている。すなわち、水様便等の緩い便は、尿のように速く吸収するのが困難であり、トップシートを伝って背側端部から漏出する事態（いわゆる背漏れ）が発生し易い。
【特許文献１】特開２００５−２４６８１１号公報
【特許文献２】特許２８１２３４０号公報
【特許文献３】特開２００６−１３６７０２号公報
【特許文献４】特開平８−１９６５６５号公報
【特許文献５】実開平６−５６１４号公報
【発明の開示】
【発明が解決しようとする課題】
【０００３】
しかしながら、便の背漏れ対策は依然として十分とはいえず、改良の余地がある。
そこで、本発明の主たる課題は、便の背漏れのおそれを低減することにある。
【課題を解決するための手段】
【０００４】
上記課題を解決した本発明は次記のとおりである。
＜請求項１記載の発明＞
透液性トップシートと、液不透過性シートと、これらの間に介在された、腹側部分から背側部分まで延在する吸収体と、前記吸収体における前後方向中間に形成された吸収体括れ部と、前記吸収体の幅方向両側に延出する両側部と、この両側部の前後方向中間に形成された側部括れ部とを備えた、使い捨ておむつにおいて、
前記吸収体括れ部に外接する四角形の対角線の交点が、腹側のウエスト端縁を基準におむつ全長を１００％としたときその３５〜４５％の前後方向範囲に位置し、
且つこの側部括れ部に外接する四角形の対角線の交点が、前記吸収体括れ部に外接する四角形の対角線の交点よりもおむつの前後方向後側であって、且つ腹側のウエスト端縁を基準におむつ全長を１００％としたときその４０〜４９％の前後方向範囲に位置している、
ことを特徴とする使い捨ておむつ。
【０００５】
（作用効果）
水様便等の背もれを防ぐためには、その流動性がおむつ内で消失することが重要であり、そのためにはおむつ内で水様便等の水分がある程度まで減少する必要がある。本発明では、上記特徴的な括れ部の配置により、おむつが自然と従来よりも前傾した状態で身体にフィットし、装着者の背側に当たる吸収体の面積が広く確保されるため、水様便等が背中側へ流動する過程でより多くの水分を吸収でき、流動性をより低下させることができる。よって、本発明によれば、水様便等の背もれが発生し難くなる。
【０００６】
＜請求項２記載の発明＞
前記吸収体における肛門部位又はその近傍に、表面から裏面側に窪む孔又は表面から裏面に貫通する孔からなるポケットが形成されており、
前記トップシートは、前記ポケットと重なる部位を含む所定範囲に多数の透過孔を有しており、且つ前記ポケットと重なる部位ではその下側に隣接する部材に少なくとも幅方向中央では接合されておらず、
前記トップシートの裏面から前記ポケット内まで連続する収容空間が形成されている、請求項１記載の使い捨ておむつ。
【０００７】
（作用効果）
水様便等は、身体表面とおむつ表面との間の隙間が狭いと、おむつ表面に沿ってより速く移動する。これに対して、上記のように、吸収体における肛門部位又はその近傍にポケット等を設けるとともに、透過孔を有するトップシートをポケットとは少なくとも幅方向中央部で離間するように設け、トップシートの裏面側にポケット内まで連続する収容空間を形成すると、この収容空間にトップシートの透過孔を介して水様便等が逃げ込み、水様便等の水分を吸収するための時間がより長く確保されるようになる。よって、前述の背漏れ防止効果がより一層のものとなる。また、水様便等がトップシートの裏面側の収容空間に逃がされるため、水様便等の肌への付着を抑制することもできる。また、液のトップシート透過性の向上と吸収体の表面積の増加により、水様便だけでなく尿の吸収速度の向上にもつながる。
【０００８】
＜請求項３記載の発明＞
前記ポケットは、前後方向に沿って延在する細長状ポケットである、請求項２記載の使い捨ておむつ。
【０００９】
（作用効果）
ポケットは大きい方が望ましいが、単に面積を大きくすると、前述のようにトップシートとポケットとを接合しない、あるいは幅方向中央部では接合しない場合、トップシートが緩んで皺になったり、トップシートとその裏面側に隣接する部材との非接触面積が増加し、トップシートに液残りし易くなったりする。これに対して、おむつは前後方向中間部においては幅方向には縮められ、前後方向には比較的張られた状態で装着されているため、ポケットが上述のような細長状となっていると、トップシートが緩み難く、トップシートと隣接部材との非接触面積が少なくなり、トップシートの液残りが軽減される。また、ポケットが幅広であると、トップシートが撓んでポケットの底部に接地し、ポケットの容積が大きく減少し易いが、ポケットが細長状であるとトップシートがポケットの底部に接地することがほとんどなく、容積の減少が少ないという利点もある。
【００１０】
＜請求項４記載の発明＞
前記ポケットは、前記吸収体括れ部に外接する四角形の前端より前側から、前記吸収体括れ部に外接する四角形の後端より後側まで前後方向に沿って延在している、請求項３記載の使い捨ておむつ。
【００１１】
（作用効果）
前述のように、ポケットを細長状とすると、幅広の場合と比べて絶対的な設計容積は減少せざるを得ない。そのため、排泄量によってはポケットの容積が不足するおそれがある。よって、ポケットを上述のように背側から腹側にかけて配置し、排泄物を腹側方向にも誘導できるようにしておくことで、排泄量が多くてもポケットが十分に機能するように構成するのが好ましい。
また、本発明では吸収体括れ部が従来よりもかなり前寄りとなっており、吸収体の腹側部分の面積が少ないため、腹側における尿の吸収性能、特に拡散性能は低下する傾向にある。これに対して、ポケットを腹側に延在させると、これが尿の誘導路としても機能するため、背側部分の吸収体をより効率良く尿の吸収にも利用できるようになり、腹側における吸収性能の低下を補うことができるようになる。もちろん、前述の液のトップシート透過性の向上と吸収体の表面積の増加による尿の吸収速度の向上は、より顕著なものとなる。
【００１２】
＜請求項５記載の発明＞
前記ポケットは、前記肛門部位又はその近傍では、その前側よりも幅の広い形状を有しているか、又はその前側よりも多い列数のポケットが幅方向に所定の間隔を空けて設けられている、請求項４記載の使い捨ておむつ。
【００１３】
（作用効果）
このように肛門部付近におけるポケット面積をその前側よりも広く確保することにより、より多量の便排泄に対してもポケット機能が機能し易くなる。特にポケットを複数列設けることにより、空間だけでなく吸収体の表面積も広く確保することができる。
【００１４】
＜請求項６記載の発明＞
前記透過孔は、前記トップシートの透過孔形成位置に前後方向に沿うスリットを形成した後に前記トップシートを幅方向に伸張させ、前記スリットを拡大させた状態でその両側部をその下側に隣接する部材に接合することにより形成されている、請求項２〜５のいずれか１項に記載の使い捨ておむつ。
【００１５】
（作用効果）
このような透過孔を有するトップシートは他の方法を用いて開口したものと比べて開口部が柔らかいという点で優れているが、おむつが撓んだ時に孔が閉じやすいという問題がある。これに対して、上述のように透過孔の両側部を下側の部材に接合すると、おむつが撓んでも孔が閉じ難くなるため好ましい。
【００１６】
＜請求項７記載の発明＞
前記トップシートは、前記透過孔が前後方向に列なって形成された透過孔列が、幅方向に一列又は複数列形成されるとともに、少なくとも一列の前記透過孔列が前記ポケット上を通過するように配置されており、且つ前記ポケット上を通過する一列又は複数列の透過孔列の両側部が、その下側に隣接する部材に接合されている、請求項６記載の使い捨ておむつ。
【００１７】
（作用効果）
このようなトップシートにおける透過孔のパターン及び接着部位を採用することにより、前述の収容空間が潰れ難く、しかもその収容空間に連通する透過孔が閉じ難くなる。
【００１８】
＜請求項８記載の発明＞
前記トップシートは、肛門部位又はその近傍、及びその周囲部分に、前記透過孔をそれぞれ有しており、肛門部位又はその近傍の透過孔が、その周囲部分の透過孔より開口面積が大きいか、及び／又は肛門部位又はその近傍に占める透過孔の面積率が、その周囲部分に占める透過孔の面積率よりも高い、請求項２〜７のいずれか１項に記載の使い捨ておむつ。
【００１９】
（作用効果）
このような透過孔を形成することにより、透過孔による便の通過が、肛門部位又はその近傍において他の部位よりも促進されるため好ましい。
【００２０】
＜請求項９記載の発明＞
前記透過孔の一部又は全部は、長手方向が肛門部位又はその近傍を中心とする放射方向に沿う形状を有している、請求項２〜８のいずれか１項に記載の使い捨ておむつ。
【００２１】
（作用効果）
このような肛門部位又はその近傍を中心とする放射パターンの透過孔列を形成することにより、透過孔による便の通過が、肛門部位又はその近傍において他の部位よりも促進されるため好ましい。
【発明の効果】
【００２２】
以上のとおり、本発明によれば、便の背漏れのおそれが低減する、等の利点がもたらされる。
【発明を実施するための最良の形態】
【００２３】
水様便や軟便の頃の乳児を対象とした使い捨ておむつとしては、いわゆるテープタイプおむつが広く用いられているため、以下ではテープタイプおむつの例を引いて説明するが、本発明は、パンツ型使い捨ておむつ等、他の形態の使い捨ておむつにも適用できることはいうまでもない。また、本発明は大人用使い捨ておむつにも当然適用できるものである。
【００２４】
図１及び図２は本発明に係るテープタイプ使い捨ておむつの一例を示している。図２は図１における２−２線矢視図である。このテープタイプ使い捨ておむつは、前後方向中央Ｃより前側Ｆから後側Ｂまで吸収体５６が延在されている幅方向中央部１０と、吸収体５６の幅方向両側に延出する、吸収体を有しない両側部（以下サイドフラップ部という）ＳＦとを備えており、各サイドフラップ部ＳＦの前方向中間には、前後方向両側よりも幅の狭い側部括れ部Ｎ１が左右対称に設けられるとともに、各サイドフラップ部ＳＦの背側部分Ｂには、装着時に腹側部分の外面に連結されるファスニングテープ１３０がそれぞれ設けられている。
【００２５】
より詳細には、おむつの外面全体は外装シート１２により形成されており、幅方向中央部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は、図示例では腹側のウエスト端縁Ｆ１から背側のウエスト端縁Ｂ１まで延在する長方形であり、吸収要素５０よりも前後方向および幅方向において若干大きい寸法を有しており、液不透過性シート１１がトップシート３０よりも若干幅広に形成されている。トップシート３０における吸収要素５０の側縁より食み出る周縁部と、液不透過性シート１１における吸収要素５０の側縁より食み出る周縁部とがホットメルト接着剤などにより固着されている。さらに、トップシート３０の幅方向両側部から幅方向外側の部分の内面全体にわたり、後述するバリヤーカフス６０，６０を形成するバリヤーシート６４，６４がホットメルト接着剤などにより貼り付けられている。
【００２６】
以下、各部の素材および特徴部分について順に説明する
（外装シート）
外装シート１２としては特に限定されないが不織布が好適である。不織布の種類は特に限定されないが、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でＳＭＳ不織布やＳＭＭＳ不織布等の積層不織布が好適である。不織布は一枚で使用する他、複数枚重ねて使用することもできる。後者の場合、不織布１２相互をホットメルト接着剤等により接着するのが好ましい。
【００２７】
（トップシート）
トップシート３０は液透過性を有し、保水量の少ないものであれば足りるが、肌触り等の観点から不織布が好適に用いられる。トップシート３０に用いる不織布としては、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。特に、原料繊維の繊度が１．０〜３．０ｄｔｅｘであり且つ繊維目付け１０〜３０ｇ／ｍ2であるエアスルー不織布や、スパンボンド不織布、ポイントボンド不織布、ＳＭＳ不織布が好適である。
【００２８】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００２９】
（トップシートの透過孔）
トップシート３０は肛門部位Ｚ又はその近傍を含む所定範囲に多数の透過孔を有しているのが望ましい。透過孔Ｈは、トップシート３０全体あるいはトップシート３０の表面露出部分（バリヤーカフスの起立部の基端間の部分）全体にわたり多数配列されていても、また、表面露出部分の幅方向中央部等、幅方向一部にのみ設けられていても良い。
【００３０】
図示例は、透過孔Ｈの配置の一つの好ましい形態を示している。すなわち、トップシート３０は、背側における臀裂、臀部の左右の膨らみの頂部との対応関係を基準にすれば次の各領域を有するものである。すなわち、トップシート３０は、臀裂と対応する部分を通り前端Ｆ１から後端Ｂ１まで延在する幅方向中央領域３１と、幅方向中央領域３１の左側及び右側に位置し、それぞれ左側の臀部の頂部及び右側の臀部の頂部と対応する部分を通り前端Ｆ１から後端Ｂ１まで延在する左側中間領域及び右側中間領域３２，３２と、左側中間領域３２の左側及び右側中間領域３２の右側に沿ってそれぞれ前端Ｆ１から後端Ｂ１まで延在する左側領域及び右側領域３３，３３とを有する。さらに、図示形態では、左側領域の左側及び右側領域の右側に、トップシート３０をその裏面側部材、図示形態の場合は中間シート４０の幅方向両端部及びその幅方向両側に食み出る液不透過性シート１１に接合固定するための部分を含む側縁部領域３４，３４を有しており、左側及び右側領域３３は吸収要素５０上に位置する領域となっている。
【００３１】
具体的に乳幼児用のおむつにおいては、幅方向中央領域３１の幅は１０〜４０ｍｍ程度、左側中間領域及び右側中間領域３２の幅は１５〜２５ｍｍ程度、左側領域及び右側領域３３の幅は１０〜２０ｍｍ程度とするのが適当である。
【００３２】
そして特徴的には、図４にも示すように、トップシート３０における幅方向中央領域３１、左側及び右側領域３３のそれぞれに、全体にわたり水様便等の固形分を裏面側に透過させるための透過孔Ｈが所定の間隔で多数穿孔されるとともに、左側及び右側中間領域３２，３２には、全体にわたり透過孔Ｈが穿孔されていない。従って、これら透過孔Ｈの穿孔範囲及び非穿孔範囲の幅方向配置が、少なくとも臀裂、臀部の頂部及びその幅方向外側と対応する部分に適用されるよう、幅方向中央領域３１、左側及び右側領域３３の範囲は定められている。なお、臀裂、臀部の頂部及びその幅方向外側と対応する部分を含んでいれば、各領域３１〜３３の前後方向の一部のみがこのような穿孔範囲及び非穿孔範囲の幅方向配置を有していても良く、例えば背側Ｂのみにこのようなパターンを採用することも可能であり、幅方向に関しては全幅にわたる範囲、あるいは幅方向中央領域３１、左側及び右側中間領域３２，３２、左側及び右側領域３３，３３にわたる範囲を穿孔範囲とすることも可能である。
【００３３】
また、左側及び右側領域３３，３３の幅が幅方向中央領域３１の幅より狭いと、装着者が横向きに寝転んだ際に臀部に接する、左側または右側領域３３の透過孔Ｈから逆戻りして臀部に付着する排泄物の量が少ないため好ましい。
【００３４】
透過孔Ｈの開口形状は、円形、楕円形、小判形、笹葉形、多角形等、適宜の形状とすることができるが、特に前後方向長さＨＬが４〜１５ｍｍ、特に６〜８ｍｍであり且つ幅方向長さＨＷが前後方向長さＨＬよりも短い細長形状（楕円形、小判形、笹葉形）であるのが好ましい。
【００３５】
透過孔Ｈの開口面積は適宜定めることができるが、０．８〜１８０ｍｍ2とするのが好ましく、５〜８０ｍｍ2とするのが特に好ましく、１０〜３０ｍｍ2とするのが最も好ましい。開口面積が小さすぎると固形分の取り込み性能が低下し、また大きすぎると透過孔Ｈを介して逆戻りし易くなる。
【００３６】
また、透過孔Ｈの数は適宜定めることができるが、図示のように透過孔Ｈの配置が、透過孔Ｈが前後方向に所定の間隔で並ぶ透過孔列が幅方向に所定の間隔で設けられた配置であって、且つ上述した透過孔Ｈの開口面積の場合、透過孔Ｈの列間の幅方向間隔ＤＷが１〜５ｍｍ、且つ列内の透過孔Ｈの前後方向間隔ＤＬが１〜１０ｍｍとなるように、各領域３１〜３３における数及び配置をそれぞれ定めるのが好ましい。透過孔Ｈの間隔が広すぎると固形分が捕獲されずに移動し易くなり、狭すぎると透過孔の数が多くなりすぎ、透過孔Ｈを介して固形分が肌に接しやすくなる。
【００３７】
なお、透過孔Ｈの配置は、千鳥状配置（図示例）としたり、格子状（行列状）配置としたりできる他、他の規則的あるいは不規則な配置を採用することもできる。例えば上記例と異なり、図８（ａ）及び（ｂ）に示すように、トップシート３０における肛門部位Ｚ又はその近傍、及びその周囲部分に、透過孔Ｈをそれぞれ形成するとともに、肛門部位Ｚ又はその近傍の透過孔Ｈの開口面積を、その周囲部分の透過孔Ｈより大きくしたり、図８（ｃ）に示すように、肛門部位Ｚ又はその近傍に占める透過孔の面積率を、その周囲部分に占める透過孔の面積率よりも高くしたり、図８（ｄ）に示すように、一部（又は全部）の透過孔Ｈの形状を長手方向が肛門部位Ｚ又はその近傍を中心とする放射方向に沿う形状にしたりすることもできる。これらのパターンで透過孔Ｈを形成することにより、透過孔Ｈによる便の通過が、肛門部位Ｚ又はその近傍において他の部位よりも促進される。もちろん、これらの特徴を組み合わせたパターンを採用することもできる。
【００３８】
透過孔Ｈを有するトップシート３０は、透過孔形成部位を所定形状に打ち抜く方法や、複数の突起を備えた熱ローラーにより溶融しながら穿孔する方法（特表２００２−５１２９０９号）や、負圧をかけた開口コンベアにて吸引延伸熱処理により立体的なテーパーを形成しながら穿孔する方法（特許２８１２３４０号）や、透過孔形成位置に所定方向（前後方向や幅方向等）に沿うスリットを形成した後にシートをスリットと直交する方向に伸張させ、スリットを拡大させた状態で裏面側の部材（中間シート４０あるいは吸収要素５０）に固着する方法（特開平１１−２５３４９０号）により製造することができる。その中でも、透過孔形成位置に前後方向に沿うスリットを形成した後にシートを幅方向に伸張させ、スリットを拡大させて開口を形成したシートは、特に開口とその周辺において、熱処理により溶融固化して硬化することがなく、繊維間隔が広げられることにより、柔らかくかつ液透過性に優れる点で最も好ましい。
【００３９】
ただしこの場合、おむつが撓んだときに透過孔Ｈが閉じ易いため、スリットを拡大させた状態で穿孔領域の両側部をその下側に隣接する部材、つまり図示形態では中間シート４０（中間シート４０を省略する場合には包装シート５８、包装シート５８を省略する場合は吸収体５６）に、ホットメルト接着剤ｇやヒートシール、超音波シール等の接合手段により接合するのが望ましい。図示形態では、前後方向全体にわたり連続線状に接合しているが、前後方向に間欠的に接合することもできる。また、接合パターンは線状に限るものではなく、ドットや円形等の形状を有するものであってもよい。さらに、図示形態では非穿孔領域の幅方向中間部にて接合しているが、穿孔領域と非穿孔領域の境界部にて接合すると、開口をより確実に維持することができるため好ましい。この場合、非穿孔領域の幅方向中間部においては、トップシート３０とその下側に隣接する部材とは接合しない、あるいは穿孔領域との境界部よりも接合面積を少なくする、具体的には接合部の面積比率を１／２以下とするのが好ましい。なお、穿孔領域と非穿孔領域の境界部とは、具体的には境界線とその両側各１０ｍｍ程度、好ましくは５ｍｍ程度の幅方向範囲を含むものとする。このようにトップシート３０における透過孔Ｈの両側部を下側の部材に接合すると、おむつが撓んでも透過孔Ｈが閉じ難くなるため好ましい。しかも、非穿孔領域にて接合する場合は、この接合に接着剤ｇを用いても、接着剤ｇが透過孔Ｈを介して肌に付着し難い。
【００４０】
（中間シート）
トップシート３０を透過した排泄物を吸収体へ移動させ、逆戻りを防ぐために、トップシート３０と吸収要素５０との間に中間シート（セカンドシートもいわれる）４０が設けられている。この中間シート４０は、排泄物を速やかに吸収体へ移行させて吸収体による吸収性能を高めるばかりでなく、吸収した排泄物の吸収体からの逆戻りを防止し、トップシート３０表面の肌触りを良くするものである。中間シート４０は省略することもできる。
【００４１】
中間シート４０としては、トップシート３０と同様の素材を用いることができるが、特に嵩高で液の透過性に優れるエアスルー不織布が好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００４２】
中間シート４０は、透過孔Ｈを通過した便を確実に捕獲できるよう、透過孔Ｈの形成範囲全体を含む形状であることが好ましい。図示の形態の中間シート４０は、吸収要素５０の幅より短く中央に配置されているが、全幅にわたって設けてもよい。図示例のように中間シート４０は、トップシート３０と同様におむつの前端から後端まで延在するのが好ましいが、吸収要素５０の前端から後端まで延在させても良く、また股間部を中心にした短い長さ範囲であっても良い。
【００４３】
（バリヤーカフス）
トップシート３０上を伝わって横方向に移動する尿や軟便を阻止し、横漏れを防止するために、製品の両側に、使用面側に突出（起立）するバリヤーカフス６０，６０を設けるのは好ましい。
【００４４】
このバリヤーカフス６０はバリヤーシート６４を主体として形成されている。バリヤーシート６４の内面は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。バリヤーシート６４における固着始端より幅方向中央側の部分は、前後方向両端部は図３にも示すようにトップシート３０に固着されるが、それらの間の中間部は非固定の自由部分とされ、この自由部分に細長状弾性伸縮部材６２が前後方向に沿って伸張状態で固定されている。バリヤーシート６４の固着部分は図１中に斜線部分で示されている。また、バリヤーシート６４の固着部分のうち固着始端近傍において、バリヤーシート６４と外装シート１２とが対向する部分のシート間に、前後方向に沿って糸ゴム等の弾性伸縮部材６６がそれぞれ設けられている。このバリヤーシート６４としては撥水性不織布を用いることができ、また弾性伸縮部材６２としては糸ゴム等を用いることができる。弾性伸縮部材６２は、図１及び図２に示すように各複数本設ける他、各１本設けることができる。
【００４５】
バリヤーカフス６０の固着始端より幅方向内側は、製品前後方向両端部ではトップシート３０上に固定されているものの、その間の部分は非固定の自由部分であるため、この自由部分が糸ゴム６２の収縮力により起立するようになる。おむつの、装着時には、おむつが舟形に体に装着されるので、そして糸ゴム６２の収縮力が作用するので、糸ゴム６２の収縮力によりバリヤーカフス６０が起立して脚周りに密着する。その結果、脚周りからのいわゆる横漏れが防止される。
【００４６】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。さらに、図示形態では、吸収体５６と包装シート５８の裏面側部位（下側の部分）との間に保持シート８０が設けられているが、この保持シート８０は省略することもできる。吸収要素５０は、その裏面においてホットメルト接着剤等の接着剤を介して液不透過性シート１１の内面に接着することができる。
【００４７】
（吸収体）
吸収体５６における前後方向中間には、その前後両側よりも幅の狭い吸収体括れ部Ｎ２が左右対称に形成されている。吸収体括れ部Ｎ２の最小幅Ｗ４は、吸収体幅Ｗ３の７０〜８０％程度とするのが好ましい。このような吸収体５６は、繊維５２，５２の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００４８】
（括れ部）
特徴的には、吸収体括れ部Ｎ２に外接する四角形の対角線の交点Ｐ２が、腹側のウエスト端縁を基準（０％）におむつ全長Ｌを１００％としたときその３５〜４５％の前後方向範囲、特に好ましくは３５〜４０％の前後方向範囲に位置しており、且つ側部括れ部Ｎ１に外接する四角形の対角線の交点Ｐ１が、腹側のウエスト端縁を基準（０％）におむつ全長Ｌを１００％としたときその４０〜４９％の前後方向範囲、特に好ましくは４５〜４９％の前後方向範囲に位置している。さらに、交点Ｐ１が交点Ｐ２に対して、おむつの前後方向の後側に位置している。なお、おむつの全長は、一般的な乳幼児用のおむつでは３００〜５５０ｍｍ程度であり、本発明を適用するのに最も好適な１歳以下の乳幼児用のおむつでは３００〜４００ｍｍ程度である。
【００４９】
これにより、図９に概略的に示すように、おむつ１００が自然と従来よりも前傾した状態で身体２００にフィットし、装着者の背側に当たる吸収体の面積が広く確保されるため、水様便等が背中側へ流動する過程でより多くの水分を吸収でき、流動性をより低下させることができる。よって、水様便等の背もれが発生し難くなる。ちなみに、本発明者の知る限り、従来のおむつでは、吸収体括れ部Ｎ２に外接する四角形の対角線の交点Ｐ２は、腹側のウエスト端縁を基準におむつ全長Ｌを１００％としたときその４６〜５５％の前後方向範囲に位置しており、側部括れ部Ｎ１に外接する四角形の対角線の交点Ｐ１は、腹側のウエスト端縁を基準におむつ全長Ｌを１００％としたときその４５〜５５％の前後方向範囲に位置している。
【００５０】
また、側部括れ部Ｎ１の最小幅Ｗ２は、おむつの幅Ｗ１の６５〜９０％程度とするのが好ましく、吸収体括れ部Ｎ２の最小幅Ｗ４は、吸収体幅Ｗ３の７０〜８０％程度とするのが好ましい。
【００５１】
（ポケット）
吸収体５６における肛門部位Ｚ又はその近傍には、表面から裏面側に窪む孔又は表面から裏面に貫通する孔からなるポケット５６Ｐが形成されている。ポケット５６Ｐの寸法・形状は適宜定めることができる。ただし、ポケット５６Ｐの深さは、吸収体５６の厚み寸法の５０〜１００％程度が適当である。
【００５２】
特に、トップシート３０のうちポケット５６Ｐと重なる部位を含む所定範囲に前述の透過孔Ｈを形成し、且つトップシート３０のうちポケット５６Ｐと重なる部位ではその下側に隣接する部材に接合しないか、または幅方向中央部を除く一部で接合し、トップシート３０の裏面からポケット５６Ｐ内まで連続する収容空間を形成するのが望ましい。図示形態のように、吸収体５６とトップシート３０との間に、中間シート４０や包装シート５８等のシートが存在する場合には、これらの中間部材がポケット５６Ｐ内に窪ませることによって、前述の収容空間が形成される。図１に示す形態のように、透過孔Ｈが前後方向に列なって形成された透過孔列を、幅方向に一列又は複数列形成される場合において、その透過孔Ｈを前述したようなスリット形成及びその拡大により形成する場合、少なくとも一列の透過孔列をポケット５６Ｐ上を通過するように配置するとともに、そのポケット５６Ｐ上を通過する一列又は複数列の透過孔列の両側部を、その下側に隣接する部材に接合すると、トップシート３０のポケット５６Ｐ内への落ち込みによる収容空間の潰れが抑制され、しかもその収容空間に連通する透過孔Ｈも閉じ難くなるため好ましい。
【００５３】
このような構造を採用することにより、トップシート３０の裏面側に形成された収容空間に、透過孔Ｈを介して水様便等が逃げ込み、水様便等の水分を吸収するための時間がより長く確保されるようになる。よって、前述の背漏れ防止効果がより一層のものとなる。また、水様便等がトップシート３０の裏面側の収容空間に逃がされるため、水様便等の肌への付着を抑制することもできる。また、水様便だけでなく尿の吸収速度の向上にもつながる。もちろん、図示形態と異なり、吸収体５６の表面側に位置する部材全体が（トップシート３０を含む）ポケット５６Ｐ内に窪むようにしても良い。
【００５４】
一般にはポケット５６Ｐは大きい方が望ましいが、単に面積を大きくすると、前述のようにトップシート３０とポケット５６Ｐとを接合しない場合、トップシート３０が緩んで皺になったり、トップシート３０とその裏面側に隣接する部材との非接触面積が増加し、トップシート３０に液残りし易くなったりする。よって、ポケット５６Ｐは、前後方向に沿って延在する細長状ポケットとするのが好ましく、特に図示形態のように、吸収体括れ部Ｎ２に外接する四角形の対角線の交点Ｐ２よりも前側まで延在しているのが好ましい。また図５に示すように、ポケット５６Ｐは、吸収体括れ部Ｎ２に外接する四角形の前端より前側から、吸収体括れ部Ｎ２に外接する四角形の後端より後側まで前後方向に沿って延在していると、さらに好ましい。また、ポケット５６Ｐを前後方向に沿う細長状とする場合、図示形態のように直線状とする他、円弧状や波線状等、適宜の形状とすることができる。
【００５５】
ポケット５６Ｐを細長状とする場合の幅は１０〜４０ｍｍ、特に１０〜２０ｍｍ程度が適当である。あるいは、ポケット５６Ｐの幅は、ポケット５６Ｐの深さ寸法よりも大きく、吸収体５６の股間部の幅を５等分した寸法よりも小さいことが好ましい。ポケット５６Ｐの幅がポケット５６Ｐの深さ寸法よりも小さいと、収容空間が不足する。幅方向中央に設けるポケット５６Ｐは臀裂に対応するものであるため、その幅が吸収体５６の股間部の幅を５等分した寸法よりも大きいと、前述のトップシートの左側及び右側中間領域３２，３２にかかるほど広くなってしまうため、適当ではない。
【００５６】
ポケット５６Ｐがこのような細長状をなしていると、トップシート３０が緩み難く、トップシート３０と隣接部材との非接触面積が少なくなり、トップシート３０の液残りが軽減される。また、図示形態の場合、ポケット５６Ｐが幅広であるとトップシート３０が撓んでポケット５６Ｐの底部に接地し、ポケット５６Ｐの容積が大きく減少し易いが、ポケット５６Ｐが細長状であるとトップシート３０がポケット５６Ｐの底部に接地することがほとんどなく、容積の減少が少ないという利点もある。さらに、ポケット５６Ｐを細長状とすると、幅広の場合と比べて絶対的な設計容積は減少せざるを得ないため、排泄量によってはポケット５６Ｐの容積が不足するおそれがあるが、ポケット５６Ｐを上述のように腹側にも十分に長く確保し、排泄物を腹側方向にも誘導できるようにしておくことで、排泄量が多くてもポケットが十分に機能するように構成するのが好ましい。また、前述のとおり、吸収体括れ部５６Ｎの位置が従来よりもかなり前寄りとなっており、吸収体５６の腹側部分の面積が少ないため、腹側における尿の吸収性能、特に拡散性能は低下する傾向にある。しかし、ポケット５６Ｐを腹側に延在させると、これが尿の誘導路としても機能するため、腹側部分の吸収体５６をより効率良く吸収に利用できるようになり、腹側における吸収性能の低下を補うことができるようになる。
【００５７】
また、ポケット５６Ｐとしては、単に所定幅の細長状ポケットを一本だけ幅方向中央に沿って設けるだけでも良いが、図６に示すように、肛門部位Ｚ又はその近傍ではその前側よりも多い列数の細長状ポケットを幅方向に所定の間隔を空けて設けたり、図７に示すように、ポケットの幅を肛門部位Ｚ又はその近傍でその前側よりも幅を拡大した幅広部を設けたりすることによって、収容空間の容積を確保するのも好ましい形態である。肛門部位Ｚ又はその近傍は、装着者の臀部Ｖ，Ｖ間の部位（臀裂）と対応するため、装着者の臀部Ｖ，Ｖによる圧力が加わり難く、ポケット５６Ｐの面積を増加させても、トップシート３０がポケット５６Ｐの底部に接地し難い。
【００５８】
ポケット５６Ｐを肛門部位Ｚ又はその近傍では複数列設け、それよりも前側では一列のみとする場合、またはポケット５６Ｐと一列設け、肛門部位Ｚ又はその近傍ではその前側より拡大した形状とする場合は、複数列設ける範囲あるいは幅を拡大して設ける範囲を、吸収体括れ部Ｎ２に外接する四角形の対角線よりも後ろ寄りとすることが好ましく、側部括れ部Ｎ１に外接する四角形の対角線よりも後ろ寄りとすることがより好ましい。ポケット５６Ｐを幅方向中央に沿って複数列設ける場合は、臀裂のみに対応するように設けるのではなく、トップシートの穿孔領域と対応するように設けることも好ましい形態である。例えば、ポケット５６Ｐを、幅方向中央領域３１の穿孔範囲だけでなく、左側及び右側領域３３の穿孔範囲にも、ポケット５６Ｐと穿孔範囲が対応するように設けると、臀裂に対応する幅方向中央領域３１では前述のように吸収性が向上すると共に、臀部の頂部に対応する左側及び右側領域３３においては、臀部の頂部に圧迫されてポケット５６Ｐの容積は幾分減少するものの、肌への排泄物の付着を低減することができる。なお、左側領域及び右側領域３３に設けるポケット５６Ｐも細長状であると、前述のように臀部により強く圧迫されてもトップシート３０がポケット５６Ｐの底に接地しにくい。また、ポケット５６Ｐを前後方向に複数列設ける場合は、細長状のポケット５６Ｐと、これよりも幅広の吸収体部分が、幅方向に交互に形成されるようにすると、吸収量の低下が少なく、かつ吸収体５６の形状が安定するため好ましい。このように、スリットを拡大して形成した前後方向に沿う穿孔領域を幅方向に複数列形成し、これと対応するように細長状のポケット５６Ｐ複数列形成し、非穿孔領域（非ポケット領域）においてトップシート３０とその下側に隣接する部材を接合した形態は、それぞれのメリットを生かし、かつデメリットを補う最良の組み合わせである。
【００５９】
（高吸収性ポリマー粒子）
吸収体５６は、図２に示すように高吸収性ポリマー粒子５４，５４…を含むのが好ましく、特に、少なくとも液受け入れ領域において、繊維５２，５２…の集合体に対して高吸収性ポリマー粒子（ＳＡＰ粒子）が実質的に厚み方向全体に分散されているものが望ましい。
【００６０】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維５２，５２…の集合体中に侵入しないでその表面に残存している形態や、一部のＳＡＰ粒子が繊維５２，５２…の集合体を通り抜けて包装シート５８上にある形態や、保持シート８０上にある形態も排除されるものではない。
【００６１】
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
【００６２】
高吸収性ポリマー粒子５４としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００６３】
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子５４の過剰によりジャリジャリした違和感を与えるようになる。
【００６４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
【００６５】
この包装シート５８は、図２のように、連続繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、連続繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００６６】
（保持シート）
繊維５２にフィラメント集合体を用いる場合は、保持シート８０を設けるのが好ましい。保持シート８０を設ける場合、保持シート８０と吸収体５６上との間には、高吸収性ポリマー粒子５４をその散布などにより介在させることができる。高吸収性ポリマー粒子５４は、フィラメント集合体への供給時又はその後の工程、あるいは消費者が使用するまでの流通過程で、フィラメント集合体を通り抜けることがある。フィラメント集合体を通り抜けた高吸収性ポリマー粒子群の凹凸は、消費者が使用する際に手で触ったときジャリジャリした違和感を与える。
【００６７】
この保持シート８０は、ティッシュペーパ（クレープ紙）などの包装シート５８のみでは足りないコシを補強すると共に、消費者が使用する際に手で触ったときのジャリジャリした違和感を軽減又は防止する役割を果たす。
【００６８】
保持シート８０の素材は、特に限定されず、高吸収性ポリマー５４の保持性能を有するものであれば足りる。具体的には、例えば、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。
【００６９】
保持シート８０としては、厚みが高吸収性ポリマー粒子の粒径よりも大きいものが好ましい。また、保持シート８０の目付けは１０〜６０ｇ／ｍ2、特に２０〜４０ｇ／ｍ2であるのが好ましい。
【００７０】
特に、保持シート８０は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
【００７１】
また、抜け出た高吸収性ポリマー５４は、保持シート６０によって保持され、包装シート５８上を移動することがないため、吸収能力の偏在が生じ難くなる。特に、保持シート８０上を高吸収性ポリマー粒子５４が移動を防止するために、予め粘着性を有するホットメルト接着剤などを保持シート８０上に塗布することができる。また、保持シート８０の上面（使用面側に向かう面）を粗面とすることで、保持シート８０上を高吸収性ポリマー粒子５４が移動を防止するようにしてもよい。このための粗面化又は毛羽立ち手段としては、不織布の製造時におけるネット面でない非ネット面とする、マーブル加工を行う、ニードルパンチにより加工する、ブラシッング加工するなどを挙げることができる。
【００７２】
保持シート８０は、図２に示すように吸収体５６の下方にのみ設けても、また図示しないが、吸収体５６の側面を通り吸収体５６の上面にまで巻き上げて延在させてもよい。また、保持シート８０を複数枚重ねて使用することも可能である。
【００７３】
上記例は、吸収体５６と包装シート５８の裏面側部位との間に保持シート５８を設ける例であるが、保持シートは、包装シート５８より裏面側であってもよく（その形態は図示していない）、要は、吸収体５６に対して裏面側に保持シートを設ければ、製品の裏面から触る場合におけるジャリジャリした違和感を軽減させるあるいは生じさせないものとなる。
【００７４】
（ファスニングテープ）
ファスニングテープ１３０は、プラスチック、ポリラミ不織布、紙製などのファスニング基材１３０Ｃの基部がおむつに接合されており、その先端側部分に腹側に対する係止部として、メカニカルファスナーのフック部材１３０Ａが設けられている。フック部材１３０Ａはファスニング基材１３０Ｃに接着剤により剥離不能に接合されている。フック部材１３０Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック部材１３０Ａに代えて、ファスニングテープ１３０の係止部として粘着材層を設けることもできる。
【００７５】
おむつの装着に際しては、背側の両側部を腹側の両側部の外側に重ねた状態で、ファスニングテープを腹側外面の適所に係止する。ファスニングテープ１３０の係止箇所の位置及び寸法は任意に定めることができる。通常の場合、係止箇所は、高さ２０〜８０ｍｍ、幅１５０〜３００ｍｍの矩形範囲とし、その上端縁と腹側上縁Ｆ１との高さ方向離間距離を０〜６０ｍｍ、特に２０〜５０ｍｍとし、かつ製品の幅方向中央とするのが好ましい。
【００７６】
腹側外面におけるファスニングテープ１３０の係止箇所には、係止を容易にするためにターゲットテープ７４を設けるのが好ましい。ターゲットテープ７４は、係止部がフック部材１３０Ａの場合、フック部材の係合突起が絡まるようなループ糸が表面に多数設けられたものを用いることができ、また粘着材層の場合には粘着性に富むような表面が平滑なフィルム状のものを用いることができる。
【００７７】
また、腹側外面におけるファスニングテープ１３０の係止箇所が不織布からなる場合、例えば図示形態の外装シート１２が不織布からなる場合であって、ファスニングテープ１３０の係止部がフック部材１３０Ａの場合には、ターゲットテープ７４を省略し、フック部材１３０Ａを外装シート１２の不織布に絡ませて係止することもできる。
【産業上の利用可能性】
【００７８】
本発明は、使い捨ておむつに利用可能なものである。
【図面の簡単な説明】
【００７９】
【図１】テープタイプ使い捨ておむつの展開状態平面図である。
【図２】図１の２−２線断面図である。
【図３】図１の３−３線断面図である。
【図４】要部拡大平面図である。
【図５】吸収体の要部拡大平面図である。
【図６】他の吸収体の要部拡大平面図である。
【図７】他の吸収体の要部拡大平面図である。
【図８】各種の透過孔の配列例を示す平面図である。
【図９】おむつ装着状態の概略図である。
【符号の説明】
【００８０】
１０…幅方向中央部、１１…液不透過性シート、１２…外装シート、３０…トップシート、３１…幅方向中央領域、３２…左側中間領域、右側中間領域、３３…左側領域、右側領域、３４…側縁部領域、４０…中間シート、５０…吸収要素、５２…繊維、５４…高吸収性ポリマー粒子、５６…吸収体、５８…包装シート、６０…バリヤーカフス、６４…バリヤーシート、８０…保持シート、Ｈ…透過孔、Ｎ１…吸収体括れ部、Ｎ２…側部括れ部、Ｐ１，Ｐ２…交点、Ｚ…肛門部位。
【図１】
2010051697.tif 000003
【図２】
2010051697.tif 000004
【図３】
2010051697.tif 000005
【図４】
2010051697.tif 000006
【図５】
2010051697.tif 000007
【図６】
2010051697.tif 000008
【図７】
2010051697.tif 000009
【図８】
2010051697.tif 000010
【図９】
2010051697.tif 000011